(57)【要約】雑菌を含んだ飲料水を洗浄し、洗浄された飲料水を再利用できる飲料ディスペンサを提供する。  【課題】  【解決手段】飲料水が封入され水栓コック１２を有する容器１１を設ける。湯を抽出する湯タンク１５と冷水を抽出するための冷却タンク１５とを設ける。一端側に水栓コック１２に接続される水ジョイント１４と、中間部に冷水電磁弁２５と、他端側に冷水を抽出する冷水弁２７とから構成される冷水配管２６を設ける。冷水弁２７手前より分岐して湯タンク１５に臨む洗浄電磁弁２９を有する洗浄配管２８を設ける。容器１１の交換時、冷水電磁弁２５及び冷水電磁弁２５の上方に滞留した空気に触れた雑菌を含んだ飲料水を冷水配管２６及び洗浄配管２８を通じて湯タンク１５に入れる。  【選択図】図１
2005145511.tif 000002
【特許請求の範囲】
【請求項１】
飲料水が封入され水栓コックを有する容器と、湯を抽出する湯配管中に設けられ加熱装置を有する湯タンクと、冷水を抽出する冷水配管中に設けられ冷却機を有する冷却タンクとを備えた飲料ディスペンサにおいて、前記冷水配管は、一端側に前記水栓コックに接続される水ジョイントと、中間部に冷水電磁弁と、他端側に冷水を抽出する冷水弁とから構成され、前記冷水配管には前記冷水弁手前より分岐して前記湯タンク内に臨む洗浄電磁弁を有する洗浄配管を設けたことを特徴とする飲料水ディスペンサ。
【発明の詳細な説明】
【技術分野】
【０００１】
本発明は、バッグインボックス型容器等に真空パックされた天然水を使用した飲料水ディスペンサに関する。
【背景技術】
【０００２】
従来、天然水等のミネラルウォータを飲料水とし湯または冷水として抽出する飲料水ディスペンサは、ミネラルウォータは殺菌作用がなく、空気に触れると空気中の雑菌を取り込み、停滞時間が長くなるほど飲料ディスペンサ中の配管内および電磁弁等に停滞した飲料水は雑菌が繁殖する可能性がある。特に冷水を抽出する飲料ディスペンサにおいては配慮が必要である。
【０００３】
そこで、温水タンクおよび冷却タンクに配管される配管系統に殺菌用ヒータを設けて、そのヒータの熱により配管系統に停滞した飲料水内の雑菌の殺菌を行なうようにしたものや、温水タンクのお湯を配管系統に循環ポンプを設けて冷水タンクに強制循環させ、そのお湯の熱により冷水タンク内の雑菌の殺菌を行なうものがある（例えば、特許文献１参照）。
【０００４】
【特許文献１】特開平６−４８４８８号公報（第６頁、図１、図２）
【発明の開示】
【発明が解決しようとする課題】
【０００５】
しかし、このような飲料水ディスペンサは前者の殺菌用ヒータを用いるものにあっては、配管系統全体に殺菌用ヒータを取り付けなければならず、高価となる問題があり、また、後者の湯タンクのお湯を冷水タンクに強制循環させるものにあっては、一旦お湯にした後再度冷水に戻す必要がありエネルギーロスと時間がかかり、しかも、構造が複雑になる等の問題がある。
【０００６】
本発明は、このような点に鑑みなされたもので、飲料水を封入した容器の交換時、特に、冷水電磁弁内及び冷水電磁弁より上部の冷水配管内に入る可能性のある雑菌を、簡単な構成で洗浄できるとともに、洗浄した飲料水は排出せずに湯タンクに入れるようにして有料の飲料水を無駄にすることのない飲料ディスペンサを提供することを目的とする。
【課題を解決するための手段】
【０００７】
請求項１記載の飲料ディスペンサは、飲料水が封入され水栓コックを有する容器と、湯を抽出する湯配管中に設けられ加熱装置を有する湯タンクと、冷水を抽出する冷水配管中に設けられ冷却機を有する冷却タンクとを備えた飲料ディスペンサにおいて、前記冷水配管は、一端側に前記水栓コックに接続される水ジョイントと、中間部に冷水電磁弁と、他端側に冷水を抽出する冷水弁とから構成され、前記冷水配管には前記冷水弁手前より分岐して前記湯タンク内に臨む洗浄電磁弁を有する洗浄配管を設けたものである。
【０００８】
そして、この構成では、新たな容器と交換時、水栓コック及び冷水電磁弁を閉じ、その後水栓コックより水ジョイントを外し新しい容器と交換して再度新たな容器の水栓コックに配管の水ジョイントを接続し、その後冷水電磁弁及び洗浄電磁弁を開いて冷水電磁弁内及び冷水電磁弁より上部の冷水配管内に入った空気に触れた飲料水を洗浄配管を通じて湯タンク内に入れるようにしたため、冷水電磁弁内及び冷水電磁弁より上部の冷水配管内の空気に触れた飲料水は飲料水として無駄なく利用されるとともに、湯タンク内の湯の熱により殺菌され安全である。
【発明の効果】
【０００９】
請求項１記載の飲料ディスペンサによれば、新たな容器の交換時、冷水電磁弁及び冷水電磁弁より上部の冷水配管内に入る可能性のある雑菌を、洗浄配管を設けることにより洗浄するとともに、洗浄された飲料水は排出せずに洗浄配管を通じて湯タンク内に入れるようにしたため、有料の飲料水を無駄にすることがないとともに安全である。
【発明を実施するための最良の形態】
【００１０】
以下、本発明の一実施の形態を図面を参照して説明する。
【００１１】
図１に示すように、１１は天然水等のミネラルウォータを封入したバッグインボックス型の容器で、この容器１１は図示しない機体の上方に設けられ、水栓コツク１２が取り付けられている。１３は共通配管で、この共通配管１３は一端側が水栓コツク２に接続される水ジョイント１４を有し他端側が後述する冷水配管及び給水パイプの共通の配管となるようになっている。
【００１２】
１５は湯タンクで、この湯タンク１５は容器１１の下方に設けられ上限水位よりも上方に余裕をもって高く構成されている。また、この湯タンク１５は下部に加熱装置としてのヒータ１６と、上部に上限水位以上に湯タンク１５内に飲料水が入らないようにする水位センサ１７と、異物の侵入を防ぐ蓋１８とが夫々設けられている。そして、この湯タンク１５には共通配管１３に連続して設けられ湯電磁弁１９を介して湯タンク１５に臨む湯配管２０が配設されている。さらに、湯タンク１５には満水水位より若干下方の位置に接続され出湯弁２１を有する湯パイプ２２が設けられている。
【００１３】
２３は冷却タンクで、この冷却タンク２３は湯タンク１６の下方に設けられている。そして、この冷却タンク２３は、図示しない冷凍サイクルの凝縮機として作用し冷却タンク２３内の水を冷却する冷却機としての冷却パイプ２４が螺旋状に配設されている。また、共通配管１３に分岐して冷水電磁弁２５を有した冷水配管２６が設けられている。そして、この冷水配管２６は一部を冷却タンク２３内を通過するように冷却タンク２３内壁に沿って設けられ、冷却タンク２３内の冷却された冷却水と熱交換し冷水弁２７を介して冷水を抽出するようになっている。
【００１４】
２８は洗浄配管で、この洗浄配管２８は冷水配管２６に設けられた冷水弁２７の手前より分岐して設けられ、先端部は洗浄電磁弁２９を介して湯タンク１５内の上方開口に臨むようになっている。
【００１５】
３０は操作部で、この操作部３０には湯タンク１５内の湯を抽出する湯抽出釦３１と、冷水配管２６内の冷水を抽出する冷水抽出釦３２が夫々設けられている。３３は洗浄釦で、この洗浄釦３３は容器１１の交換時、冷水電磁弁２５及び洗浄電磁弁２９を一定時間開放させるもので、特定の管理者のみが管理するため一般の使用者が操作しにくい機体の内部に設けられている。
【００１６】
次に、本実施の形態の作用を説明する。
【００１７】
まず、設置時の初回に湯タンク１５に飲料水を供給する作用について説明する。図１に示されるように配管が完了している状態から容器１１の水栓コック１２を手で開く。この時、湯タンク１５側の水位センサ１７が渇水状態を検知しているため湯電磁弁１９が開放され湯タンク１５内に飲料水が供給される。そして、湯タンク１５側の水位は水位センサ１７により上限水位以上に供給されないように制限され満水状態に保持される。なお、この時冷水電磁弁２５は閉じられており冷水配管２６側には飲料水が供給されない。また、冷却タンク２３側の冷却用水の供給はバケツ等により冷却タンク２３の上方開口より水位を目視しながら必要量供給される。
【００１８】
次に、湯タンク１５内の湯を抽出する作用について説明する。湯タンク１５内に供給された飲料水はヒータ１６により加熱され適温に沸き上げられる。そして、この沸き上げらた湯は湯抽出釦３１を操作することにより出湯弁２１が開放され湯パイプ２２を通じて抽出される。
【００１９】
次に、冷水を抽出する作用について説明する。予め図示しない冷凍サイクルの作動により冷却パイプ２４を介して冷却タンク２３内の水が冷却される。そして、この状態で冷水抽出釦３２が操作されると、冷水電磁弁２５が開放されるとともに冷水弁２７が開放し、これにより、容器１１内の飲料水は冷水配管２６内を流通し冷却タンク２３内の冷却水と熱交換され瞬時に冷水となって抽出される。
【００２０】
次に、容器１１内の飲料水が無くなり新しい容器１１と交換する際の交換作用について説明する。まず、新しい容器１１の交換に際しては図示しない電源スイッチが切られ湯電磁弁１９及び冷水電磁弁２５が夫々閉状態となる。そして、水栓コック１２を手で閉めた後、水栓コック１２から水ジョイント１４を外し新しい容器１１と交換する。そして、新しい容器１１の水栓コック１２に水ジョイント１４を接続する。この時、水ジョイント１４から空気中の雑菌が共通配管１３を介して冷水電磁弁２５や冷水電磁弁２５より上方の冷水配管２６に入る。
【００２１】
このように、冷水電磁弁２５や冷水電磁弁２５より上方の冷水配管２６に入った雑菌は次のような作用により洗浄される。即ち、水栓コック１２を手で開き洗浄釦３３を操作すると冷水電磁弁２５及び洗浄電磁弁２９が開かれ冷水電磁弁２５や冷水電磁弁２５より上方の冷水配管２６に滞留した雑菌を含んだ飲料水は容器１１との上下位置関係の落差により生じる水圧により冷水配管２６及び洗浄配管２８を通じて湯タンク１５内に押し流され、雑菌は湯タンク１５内の熱により殺菌され死滅する。したがって、雑菌を含んだ飲料水は無駄にすることなく湯として利用される。
【００２２】
なお、図示しない制御装置にタイマを設け、このタイマにより洗浄電磁弁１９を所定の間隔をもって開閉し自動洗浄するようにしてもよい。この場合、万一、雑菌が冷水配管１６内や冷水電磁弁１５内に残っていても所定の間隔をもって洗浄が行われ、より雑菌の繁殖が防止される。
【００２３】
また、容器１を機体の下部に置きポンプで汲み上げる方式でも同様な効果を得ることができる。
【図面の簡単な説明】
【００２４】
【図１】本発明の一実施形態を示す飲料ディスペンサの構成図である。
【符号の説明】
【００２５】
１１  容器
１２  水栓コック
１３  共通配管
１４  水ジョイント
１５  湯タンク
１６  加熱装置としてのヒータ
１９  湯電磁弁
２０  湯配管
２１  出湯弁
２２  湯パイプ
２３  冷却タンク
２４  冷却機としての冷却パイプ
２５  冷水電磁弁
２６  冷水配管
２７  冷水弁
２８  洗浄配管
２９  洗浄電磁弁
【図１】
2005145511.tif 000003